(57)【特許請求の範囲】
【請求項１】
モニタ画面を備えた機器間で通話を可能とする対話システムであって、一つの機器に、予め各機器の利用者を撮像するカメラ部と、撮像された画像データを蓄積するメモリとを付加し、ある機器から他の機器に対して呼出を行う際、呼出を行っている者の画像データを一つの機器に付加されたメモリから呼び出し、他の機器のモニタ画面に該画像データを映し出すようにしたことを特徴とするインターホンを利用した対話システム。
【発明の詳細な説明】
【０００１】
【発明の属する技術分野】
本発明は、主に建築物に配設されるインターホンを利用した対話システムに関するものである。
【０００２】
【従来の技術】
従来、建築物等に配設されるインターホンを利用した対話システムにあっては、呼出音の違いやインターホンに付設されているＬＥＤの点灯の仕方の違いによって誰を呼び出そうとしているか知らせるといった物がある。これにより、誰が呼び出されているかを受話者側で容易に認識することが可能になる。
【０００３】
【発明が解決しようとする課題】
ところが、上述のような対話システムにあっては、誰からの呼出であるかを受話者が実際に受話器をとって応答するまで認識できないという問題点を有していた。
【０００４】
本発明は、上記の問題点に鑑みて成されたものであり、その目的とするところは、誰からの呼出であるかを受話者が容易にかつ明確に認識できる対話システムを提供することにある。
【０００５】
【課題を解決するための手段】
請求項１記載の発明は、モニタ画面を備えた機器間で通話を可能とする対話システムであって、一つの機器に、予め各機器の利用者を撮像するカメラ部と、撮像された画像データを蓄積するメモリとを付加し、ある機器から他の機器に対して呼出を行う際、呼出を行っている者の画像データを一つの機器に付加されたメモリから呼び出し、他の機器のモニタ画面に該画像データを映し出すようにしたことを特徴とするものである。
【０００６】
【発明の実施の形態】
以下、本発明の一実施の形態について図１乃至図４に基づき詳細に説明する。図１は対話システムを示すシステム構成図である。図２は対話システムの親機を示すブロック図である。図３は対話システムの親機の外観を示す斜視図である。図４は子機の外観を示す斜視図である。
【０００７】
本実施の形態に係る対話システムは、図１に示すように、親機Ａと、副親機Ｂ１、…Ｂ５と、子機Ｃ１、Ｃ２とを備える。親機Ａには、子機Ｃ１が回線Ｌ１を介して、子機Ｃ２が回線Ｌ２を介して、副親機Ｂ１が回線Ｌ３を介して、副親機Ｂ３が回線Ｌ５を介してそれぞれ接続されている。また、副親機Ｂ１には回線Ｌ４を介して副親機Ｂ２が接続され、副親機Ｂ３には回線Ｌ６を介して副親機Ｂ４が接続され、副親機Ｂ４には回線Ｌ７を介して副親機Ｂ５が接続されている。なお、副親機Ｂ１、…Ｂ５や子機Ｃ１、Ｃ２の数はこれに限られるものではなく、副親機Ｂ１、…Ｂ５の接続レイアウトについてもこれに限られるものではない。
【０００８】
親機Ａは、図３に示すように、前面に、モニタ画面１０と、モニタ釦１１と、通話マイク１２と、通話釦１３と、通話ランプ１４と、スピーカ１５と、回線使用中ランプ１６と、個別呼出釦１７ａ、…１７ｆとを備え、右側面に、電源スイッチ１９と、第１設定スイッチ２１と、第２設定スイッチ２２と、トークバック設定スイッチ２３とを備える。
【０００９】
また、親機Ａは、図２に示すように、内部に、ＣＰＵ３０と、呼出検知回路３１と、多重分離回路３２と、通話回路３４と、テレビ回路３５と、制御信号回路３６と、多重化回路３７と、カメラ部３８と、メモリ３９とを備える。
【００１０】
各副親機Ｂ１、…Ｂ５は、図１に示すように、外観的にはカメラ部３８を備えない点を除いて親機Ａと同様である。各副親機Ｂ１、…Ｂ５は、内部的にも親機Ａと略同様であり、異なるのは、多重化回路３７と、カメラ部３８と、メモリ３９とを備えない構成である。従って、副親機Ｂ１、…Ｂ５にあっては、親機Ａと同様の箇所には同じ符号を付すものとする。
【００１１】
また、子機Ｃ１、Ｃ２は、図４に示すように、外観的にはカメラ部５０と、スピーカー５１と、位置表示灯５２と、呼出釦５３と、通話マイク５４とを備える。
【００１２】
モニタ画面１０は、子機Ｃ１、Ｃ２の各々のカメラ部５０の撮像する映像をテレビ回路３５を介して映し出す部分であり、扁平型ブラウン管あるいは液晶画面にて構成される。モニタ釦１１は、住居内から玄関先の様子を確認するときに押し操作を行う部分であり、モニタ釦１１の押し操作を行うと、子機Ｃ１あるいは子機Ｃ２のカメラ部５０の撮像する映像がモニタ画面１０に映し出されると共に、子機Ｃ１あるいは子機Ｃ２の通話マイク５４のピックアップする音声がスピーカ１５から出力される。
【００１３】
なお、この対話システムにあっては、モニタ釦１１を１回押すと子機Ｃ１からの映像と音声とをモニタでき、モニタ釦１１を２回押すと子機Ｃ２からの映像と音声とをモニタでき、この状態は約１０秒程度経過すると自動的にオフするようになっている。
【００１４】
通話マイク１２は、住人が子機Ｃ１、Ｃ２を介して玄関先の来訪者と通話したり、副親機Ｂ１、…Ｂ５との間で内線通話を行う際に、音声をピックアップするものである。通話釦１３は、子機Ｃ１、Ｃ２または副親機Ｂ１、…Ｂ５からの呼出に対し応答する場合に押し操作を行う部分である。
【００１５】
通話ランプ１４は、呼出時に点滅し通話時に点灯するものであり、発光色が呼出元に応じて変化し、何処から呼び出されているか分かるようになっている。例えば、子機Ｃ１から呼び出されている場合は赤色点滅し、子機Ｃ２から呼び出されている場合は黄色点滅し、親機又は副親機から呼び出されている場合は緑色点滅するようになっている。
【００１６】
回線使用中ランプ１６は、他の親機Ａや副親機Ｂ１、…Ｂ５が通話中であったり、第１の設定スイッチ２１や第２の設定スイッチ２２によって「切」側に設定されている子機Ｃ１、Ｃ２から呼出されたりすると、赤色点灯して回線が使用中であることを表示する。
【００１７】
個別呼出釦１７ａ、…１７ｆは、親機Ａや副親機Ｂ１、…Ｂ５を呼び出す時に押し操作する部分であり、本実施の形態では、個別呼出釦１７ａと親機Ａとが、個別呼出釦１７ｂと副親機Ｂ１とが、個別呼出釦１７ｃと副親機Ｂ２とが、個別呼出釦１７ｄと副親機Ｂ３とが、個別呼出釦１７ｅと副親機Ｂ４とが、個別呼出釦１７ｆと副親機Ｂ５とが、それぞれ対応するように設定されている。従って、例えば、親機Ａにおいて個別呼出釦１７ｃが押し操作されると、副親機Ｂ２が呼び出されることになる。
【００１８】
第１の設定スイッチ２１は、子機Ｃ１の呼出釦５３が押し操作されたときに、その機器が呼出音を鳴動するか否かを決定するものである。同様に、第２の設定スイッチ２２は、子機Ｃ２の呼出釦５３が押し操作されたときに、その機器が呼出音を鳴動するか否かを決定するものである。
【００１９】
トークバック設定スイッチ２３は、親機Ａ又は副親機Ｂ１、…Ｂ５の設置される各部屋間のプライバシーを保つためのものである。すなわち、本実施の形態の対話システムでは、個別呼出釦１７ａ、…１７ｆを複数同時に押し操作すると、押された個別呼出釦１７ａ、…１７ｆに対応する親機Ａや副親機Ｂ１、…Ｂ５の間で相互に通話できるようになっている。しかし、トークバック設定スイッチ２３が「切」側に設定されている親機Ａや副親機Ｂ１、…Ｂ５については、相互に通話される音声を聞くことはできるものの、通話釦１３を押し操作しない限り、ＣＰＵ３０からの指示により通話マイク１２のピックアップする音声信号を自動的に遮断して相互通話機能を解除するのである。これにより、トークバック設定スイッチ２３が「切」側に設定されている親機Ａや副親機Ｂ１、…Ｂ５の設置される部屋のプライバシーを保護することができるのである。なお、相互通話が可能な状態は、呼び出された側の通話釦１３の押し操作がなされたものを除いて、所定時間が経過すると自動的にオフするようになっている。
【００２０】
ＣＰＵ３０は、マイクロプロセッサや記憶部、入出力ポート等を備えてなり、ＣＰＵ３０を内蔵する親機Ａや副親機Ｂ１、…Ｂ５全体を制御するものである。呼出検知回路３１は、子機Ｃ１、Ｃ２の呼出釦５３の押し操作を検知してＣＰＵ３０にその旨を通知するものである。
【００２１】
通話回路３４は、通話マイク１２からの音声信号を増幅し、多重化回路３７や子機Ｃ１、Ｃ２へ出力するとともに、多重化回路３７や子機Ｃ１、Ｃ２からの音声信号を増幅してスピーカ１５へ出力する。また、通話回路３４では、ＣＰＵ３０の指示に基づいて、電器信号としての呼出音を合成生成してスピーカ１５へ出力する。その際、どの機器からの呼出であるかによって呼出音の音色を変化させることで、鳴動音を聞いただけでどの機器からの呼出であるかを理解できるようになっている。
【００２２】
テレビ回路３５は、入力された信号を復調するＦＭ復調回路や、復調された映像信号を液晶パネル１０に映し出すオンスクリーン回路、液晶パネル１０への表示を制御するドライバ等からなり、子機Ｃ１、Ｃ２のカメラ部５０の撮像する玄関先の映像信号を受けて、モニタ画面１０にその映像を映し出すものである。さらに、テレビ回路３５は、後述するメモリ３９に蓄積された画像データを表示するものである。
【００２３】
制御信号回路３６は、子機Ｃ１、Ｃ２の呼出釦５３の押し操作のあった旨の通知をＣＰＵ３０から受けると、子機Ｃ１、Ｃ２を示す呼出制御信号を、多重化回路３７から副親機Ｂ１、…Ｂ５側へ送出するものである。多重化回路３７は、音声信号と映像信号と制御信号とを多重化して送出するものである。
【００２４】
親機Ａのカメラ部３８は、親機Ａや副親機Ｂ１、…Ｂ５を使用する使用者の顔を撮像するものでり、撮像された画像データはメモリ３９に蓄積される。撮像された画像データは、前述した個別呼出釦１７ａ、…１７ｆに割り当てられており、個別呼出釦１７ａ、…１７ｆを操作するとメモリ３９に蓄積された画像データが、呼び出された親機Ａや副親機Ｂ１、…Ｂ５のモニタ画面１０に映し出されるようになっている。
【００２５】
個別呼出釦１７ａ、…１７ｆのそれぞれに対して画像データを割り当てる方法について説明する。本実施の形態の対話システムにあっては、割り当てを行おうとする個別呼出釦１７ａ、…１７ｆを所定時間以上押し続けると割り当てモードに移行する。割り当てモードに移行したことは、表示灯の点灯により認識することが可能になる。この割り当てモードにおいて、カメラ部３８により撮像を行うと、撮像された画像データが該個別呼出釦１７ａ、…１７ｆの割り当て画像データとなるのである。
【００２６】
一般に親機Ａや副親機Ｂ１、…Ｂ５は、主に使用する人間が決まっているので、本実施の形態では、主にその機器を利用する使用者の画像データを個別呼出釦１７ａ、…１７ｆのそれぞれに割り当てて利用するようにしている。すなわち、主にリビングや台所等に設置される親機Ａを呼び出す個別呼出釦１７ａに該親機Ａを頻繁に利用すると思われる母親の画像を割り当て、副親機Ｂ１を呼び出す個別呼出釦１７ｂに副親機Ｂ１が設置される居室を利用するお婆さんの画像を割り当てるようにするのである。
【００２７】
各個別呼出釦１７ａ、…１７ｆに対して画像データが割り当てあれた対話システムにあっては、親機Ａから副親機Ｂ１を呼び出すために個別呼出釦１７ｂを押し操作すると、親機Ａの利用者として個別呼出釦１７ａに割り当てられた母親の画像がメモり３９から読み出されて副親機Ｂ１に送信され、副親機Ｂ１のモニタ画面１０に母親の画像が表示されるのである。これにより、副親機Ｂ１にあっては誰からの呼出であるかをモニタ画面１０を見ることにより容易にかつ明確に認識できるのである。
【００２８】
さらに、副親機Ｂ１から副親機Ｂ２を呼び出すために個別呼出釦１７ｂを押し操作すると、副親機Ｂ１の利用者として個別呼出釦１７ｂに割り当てられたお婆さんの画像が親機Ａのメモリ３９から読み出されて副親機Ｂ２に対して送信され、副親機Ｂ２のモニタ画面１０にお婆さんの画像が表示されるのである。
【００２９】
なお、親機Ａを使って母親以外の人が副親機Ｂ１、…Ｂ５等を呼び出す場合等を想定して、本実施の形態の対話システムにあっては、任意の画像データを所定の機器のモニタ画面１０に表示できるうようになっている。すなわち、自分の画像が割り当てられた個別呼出釦１７ａ、…１７ｆを押し操作した後、所定時間が経過するまでに呼び出したい機器の個別呼出釦１７ａ、…１７ｆを押し操作すると、呼び出した機器のモニタ画面１０に自分の画像が表示されるようになっているのである。
【００３０】
【発明の効果】
以上のように、請求項１記載の発明にあっては、モニタ画面を備えた機器間で通話を可能とする対話システムであって、一つの機器に、予め各機器の利用者を撮像するカメラ部と、撮像された画像データを蓄積するメモリとを付加し、ある機器から他の機器に対して呼出を行う際、呼出を行っている者の画像データを一つの機器に付加されたメモリから呼び出し、他の機器のモニタ画面に該画像データを映し出すようにしたので、呼び出された側にあってはモニタ画面を見ることで誰からの呼び出してあるかを視覚的に認識することが可能になるため、誰からの呼出であるかを受話者が容易にかつ明確に認識できるインターホンを利用した対話システムを提供することができるという効果を奏する。
【図面の簡単な説明】
【図１】対話システムを示すシステム構成図である。
【図２】対話システムの親機を示すブロック図である。
【図３】対話システムの親機の外観を示す斜視図である。
【図４】子機の外観を示す斜視図である。
【符号の説明】
Ａ    親機
Ｂ    副親機
１０  モニタ画面
３８  カメラ部
３９  メモリ
【図１】
0003700415.tif 000002
【図２】
0003700415.tif 000003
【図３】
0003700415.tif 000004
【図４】
0003700415.tif 000005